(57)【要約】【課題】非常に優れた水密性を実現可能な排水栓装置を提供する。【解決手段】排水栓装置１は、排水流入口２１を開閉するための栓蓋７を備えており、栓蓋７は、往復移動可能に構成されるとともに、栓蓋本体部７１及びパッキン部７２を有する。パッキン部７２が所定の接触対象部２４へと接触することで、排水流入口２１が閉状態とされる。パッキン部７２は、排水流入口２１を閉状態としたときに、接触対象部２４に対し面接触するとともに、接触対象部２４への面接触に伴い栓蓋７の往復移動方向と直交する方向に沿って圧縮撓み変形可能な波打ち形状をなしている。これにより、接触対象部２４に対するパッキン部７２の接触面積を十分に確保しつつ、撓み変形に伴い生じる反発力を利用して、接触対象部２４に対しパッキン部７２をより大きな圧力で接触可能となる。その結果、非常に優れた水密性を実現することができる。【選択図】      図３
2020183649.tif 000002
【特許請求の範囲】
【請求項１】
槽体の底側に設けられ、排水時に前記槽体の水が流入する排水流入口と、
前記槽体に対し相対移動可能に構成された、前記排水流入口を開閉するための栓蓋とを備えた排水栓装置であって、
前記栓蓋は、往復移動可能に構成されるとともに、栓蓋本体部及び当該栓蓋本体部に取付けられるパッキン部を備え、
前記パッキン部が所定の接触対象部へと接触することで、前記排水流入口が閉状態となるように構成されており、
前記パッキン部は、前記排水流入口を閉状態としたときに前記接触対象部に対し面接触するとともに、当該接触対象部への面接触に伴い前記栓蓋の往復移動方向と直交する方向に沿って圧縮撓み変形可能な波打ち形状をなしていることを特徴とする排水栓装置。
【請求項２】
前記パッキン部は、
前記栓蓋本体部により保持される基部と、
前記排水流入口を閉状態としたときに、前記接触対象部と面接触する最外側部と、
前記基部から前記最外側部にかけての部位を交互に折返すことで設けられた少なくとも３つ以上の屈曲部とを備えることを特徴とする請求項１に記載の排水栓装置。
【請求項３】
前記排水流入口を開状態としたときに、前記栓蓋の外縁部周囲を通って排水が流れるように構成されており、
前記パッキン部は、前記基部に対し、前記屈曲部を介して前記栓蓋の外縁部周囲における排水の流れ方向とは逆側に折返された第一折返部を有し、
前記栓蓋本体部は、前記第一折返部を支持し、前記基部から離間する方向への前記第一折返部の撓み変形を規制可能な変形規制部を備えることを特徴とする請求項２に記載の排水栓装置。
【請求項４】
前記パッキン部は、全体として板状をなし、前記栓蓋本体部により挟持されることで当該栓蓋本体部に取付けられていることを特徴とする請求項１乃至３のいずれか１項に記載の排水栓装置。
【発明の詳細な説明】
【技術分野】
【０００１】
本発明は、槽体からの排水が流入する排水流入口を開閉するための排水栓装置に関する。
【背景技術】
【０００２】
従来、栓蓋を遠隔操作することで、槽体（例えば、浴槽や洗面ボウルなど）の底面部に設けられた、排水時に槽体の水が流入する排水流入口の開閉状態を切換可能に構成された排水栓装置が知られている。
【０００３】
栓蓋は、全体として円板状をなす栓蓋本体部と、当該栓蓋本体部の背面外周側に取付けられる環状のパッキン部とを備えたものが一般的である。また、パッキン部としては、栓蓋本体部に取付けられる比較的厚肉の基部と、当該基部から外側に向けて突出する扁平状で比較的薄肉の接触部とを有するものが知られている（例えば、特許文献１等参照）。このようなパッキン部では、接触部が所定の接触対象部（例えば、筒状の排水口部材や槽体自体など）と接触することで排水流入口が閉状態とされる。尚、排水流入口を閉状態としたとき、重力やばね部材等により栓蓋が下側に引かれた状態となることで、パッキン部は接触対象部に圧接された状態となる。
【先行技術文献】
【特許文献】
【０００４】
【特許文献１】特開２０１８−３３４７号公報
【発明の概要】
【発明が解決しようとする課題】
【０００５】
ところで、上述した従来技術では、排水流入口を閉状態としたときに、パッキン部（接触部）は、接触対象部に対しほぼ線接触することとなり、接触対象部に対するパッキン部の接触面積が不十分となるおそれがある。また、重力やばね部材等により栓蓋を下側に引いた状態とするだけでは、接触対象部に対するパッキン部の接触圧力を十分に確保することができないということもあり得る。
【０００６】
本発明は、上記事情に鑑みてなされたものであり、その目的は、接触対象部に対するパッキン部の接触面積や接触圧力を十分に確保して、非常に優れた水密性を実現することができる排水栓装置を提供することにある。
【課題を解決するための手段】
【０００７】
以下、上記目的を解決するのに適した各手段につき、項分けして説明する。なお、必要に応じて対応する手段に特有の作用効果を付記する。
【０００８】
手段１．槽体の底側に設けられ、排水時に前記槽体の水が流入する排水流入口と、
前記槽体に対し相対移動可能に構成された、前記排水流入口を開閉するための栓蓋とを備えた排水栓装置であって、
前記栓蓋は、往復移動可能に構成されるとともに、栓蓋本体部及び当該栓蓋本体部に取付けられるパッキン部を備え、
前記パッキン部が所定の接触対象部へと接触することで、前記排水流入口が閉状態となるように構成されており、
前記パッキン部は、前記排水流入口を閉状態としたときに前記接触対象部に対し面接触するとともに、当該接触対象部への面接触に伴い前記栓蓋の往復移動方向と直交する方向に沿って圧縮撓み変形可能な波打ち形状をなしていることを特徴とする排水栓装置。
【０００９】
上記手段１によれば、パッキン部は、排水流入口を閉状態としたときに接触対象部（例えば、排水口部材や槽体自体など）へと面接触するため、接触対象部に対するパッキン部の接触面積を十分に確保することができる。また、パッキン部は、波打ち形状をなしており、接触対象部への面接触に伴い栓蓋の往復移動方向と直交する方向に沿って圧縮撓み変形するように構成されている。従って、撓み変形に伴い生じる反発力を利用して、接触対象部に対しパッキン部をより大きな圧力で接触させることができる。これらの結果、接触対象部に対するパッキン部の接触面積や接触圧力を十分に確保することができ、非常に優れたシール性（水密性）を実現することができる。
【００１０】
また、パッキン部が栓蓋の往復移動方向と直交する方向に沿って圧縮撓み変形することで、接触対象部における形状誤差（例えば接触対象部が波打った形状となること等）に対しパッキン部が追従して変形しやすくなる。従って、この点もシール性（水密性）の点で有効に作用する。
【００１１】
尚、上記手段１に係るパッキン部は、特に接触対象部が栓蓋の復動方向（排水流入口を閉状態とするときの移動方向）に沿って徐々に窄む（周長が減少する）形状をなしている場合に有効である。この場合には、接触対象部へとパッキン部が接触したときに、パッキン部をより確実に圧縮撓み変形させることができ、ひいては接触対象部に対するパッキン部の接触圧力を効果的に高めることができる。
【００１２】
手段２．前記パッキン部は、
前記栓蓋本体部により保持される基部と、
前記排水流入口を閉状態としたときに、前記接触対象部と面接触する最外側部と、
前記基部から前記最外側部にかけての部位を交互に折返すことで設けられた少なくとも３つ以上の屈曲部とを備えることを特徴とする手段１に記載の排水栓装置。
【００１３】
上記手段２によれば、パッキン部は３つ以上の屈曲部を備えているため、接触対象部へとパッキン部が接触したときに、パッキン部を栓蓋の往復移動方向と直交する方向に沿ってより確実に圧縮撓み変形させることができる。従って、撓み変形に伴う反発力をより増大させて、接触対象部に対するパッキン部の接触圧力をより増大させることができる。その結果、シール性（水密性）の一層の向上を図ることができる。
【００１４】
手段３．前記排水流入口を開状態としたときに、前記栓蓋の外縁部周囲を通って排水が流れるように構成されており、
前記パッキン部は、前記基部に対し、前記屈曲部を介して前記栓蓋の外縁部周囲における排水の流れ方向とは逆側に折返された第一折返部を有し、
前記栓蓋本体部は、前記第一折返部を支持し、前記基部から離間する方向への前記第一折返部の撓み変形を規制可能な変形規制部を備えることを特徴とする手段２に記載の排水栓装置。
【００１５】
第一折返部が、屈曲部を介して栓蓋の外縁部周囲における排水の流れ方向とは逆側に折返されている構成では、排水の影響により、第一折返部が基部から離間する方向へと撓み変形してしまいやすくなる。このような撓み変形が生じると、パッキン部を接触対象部へと十分な圧力で接触させることが困難になるおそれがある。
【００１６】
この点、上記手段３によれば、変形規制部によりパッキン部の第一折返部を支持することで、基部から離間する方向への第一折返部の撓み変形を規制することができる。従って、排水の影響による第一折返部の撓み変形を防ぐことができ、優れたシール性（水密性）をより確実に得ることが可能となる。
【００１７】
手段４．前記パッキン部は、全体として板状をなし、前記栓蓋本体部により挟持されることで当該栓蓋本体部に取付けられていることを特徴とする手段１乃至３のいずれかに記載の排水栓装置。
【００１８】
尚、「全体として板状」とあるのは、孔などのない板状のみならず、多少の孔などが形成された板状も含むという趣旨である。
【００１９】
従来、パッキン部は環状をなしており、ある程度拡径した（延ばされた）状態で栓蓋本体部の外周へと配置されることにより、栓蓋本体部に対しこれを締め付けるような状態で取付けられている。しかしながら、この手法では、栓蓋本体部を非円形状（例えば横長形状）とした場合などにおいて、栓蓋本体部のうちパッキン部が外嵌される部位の少なくとも一部が平坦面状であるときに、この平坦面状の部位に対するパッキン部の接触圧力を十分に確保することができず、シール性（水密性）が不十分となってしまうおそれがある。
【００２０】
これに対し、上記手段４によれば、パッキン部は、全体として板状をなしており、栓蓋本体部により挟持されることで栓蓋本体部に取付けられている。従って、栓蓋本体部を非円形状としたような場合であっても、栓蓋本体部及びパッキン部を十分な圧力で接触させることができる。これにより、シール性（水密性）をより一層高めることができる。
【図面の簡単な説明】
【００２１】
【図１】浴槽の貯水空間側から見たときにおける排水栓装置の斜視図である。
【図２】栓蓋を正面から見たときにおける排水栓装置を示す図である。
【図３】図２のＪ−Ｊ線断面図である。
【図４】排水流入口を開状態としたときにおける排水栓装置の断面図である。
【図５】栓蓋の斜視図である。
【図６】栓蓋の分解斜視図である。
【図７】パッキン部の拡大断面図である。
【図８】パッキン部の拡大断面図である。
【発明を実施するための形態】
【００２２】
以下に、一実施形態について図面を参照しつつ説明する。排水栓装置１は、槽体としての浴槽１００からの排水の可否を切換えるための装置であり、本実施形態では、図１及び図２に示すように、浴槽１００における底面部１０１から側面部１０２にかけての部位に設けられている。尚、浴槽１００は、底面部１０１から側面部１０２にかけての部位に貫通形成された取付孔１０３（図３参照）を備えており、本実施形態における取付孔１０３は、正面から見たとき（底面部１０１の中心側から見たとき）、横方向が縦方向（横方向と直交する方向）よりも長い横長形状とされている。
【００２３】
排水栓装置１は、図３（図３は、図２のＪ−Ｊ線断面図である）に示すように、排水口部材２、固定用部品３、アタッチメント部材４、支持軸機構５、飛散防止カバー部６及び栓蓋７を備えている。
【００２４】
排水口部材２は、取付孔１０３に挿通された状態で設置される筒状部品である。排水口部材２における内部空間は、浴槽１００から排出される水の流路を構成しており、排水口部材２における内側の開口によって、排水時に浴槽１００の水が流入する排水流入口２１が形成されている。排水流入口２１は、正面から見たとき（底面部１０１の中心側から見たとき）、横方向が縦方向よりも長い横長形状（本実施形態では、長円形状）とされている。また、本実施形態において、排水流入口２１から排水口部材２内に流入した排水は、当該排水口部材２における排水流入口２１とは反対側に位置する下部開口から飛散防止用カバー部６に向けて放出され、その後、飛散防止カバー部６を経て浴槽１００の外部へと流れ出るようになっている。
【００２５】
さらに、排水口部材２は、鉛直方向に対し斜めになった状態で設置されている。より詳しくは、排水口部材２は、自身の中心軸ＣＬ１（本実施形態では、後述する本体筒部２２の中心軸と等しい）を含む鉛直断面において、当該中心軸ＣＬ１が鉛直方向に対し斜めになった状態で設置されている。
【００２６】
また、排水口部材２は、本体筒部２２及び挟持用突部２３を備えている。本体筒部２２は、取付孔１０３の形状に対応する横長の長円筒状をなしている。さらに、本体筒部２２の側面部分を構成する、相対向する平板状部分の外側面のそれぞれには、部品取付用溝部２２ａ及びカバー取付用溝部２２ｂが平行に設けられている。部品取付用溝部２２ａは、固定用部品３の被取付部として機能し、カバー取付用溝部２２ｂは、飛散防止カバー部６の被取付部として機能する。尚、部品取付用溝部２２ａ及びカバー取付用溝部２２ｂの少なくとも一端部は開放端となっている。
【００２７】
さらに、本体筒部２２における挟持用突部２３とは反対側の端部内周には、内側に向けて突出するアタッチメント被取付部２２ｃが設けられている（図４参照）。アタッチメント被取付部２２ｃは、排水口部材２に対しアタッチメント部材４を取付けるために利用される。
【００２８】
挟持用突部２３は、本体筒部２２の端部から外側に突出形成された部位であり、主として浴槽１００に対する排水口部材２の取付に利用される。尚、挟持用突部２３の一部（本実施形態では、特に栓蓋７の上方に配置される部位）は、上方及び底面部１０１の中心側に向けて本体筒部２２から大きく突出した形状となっており、この大きく突出した形状の部位によって栓蓋７の保護が図られている。但し、排水口部材２は、このような栓蓋７を保護するための部位を備えないものであってもよい。
【００２９】
さらに、排水口部材２の内面によって接触対象部２４が形成されている。接触対象部２４は、栓蓋７によって排水流入口２１を閉状態としたときに、栓蓋７の後述するパッキン部７２と接触するように設定された部位である。本実施形態における接触対象部２４は、栓蓋７の復動方向に沿って徐々に窄んだ形状をなすものとされている。
【００３０】
固定用部品３は、排水口部材２を浴槽１００に取付けるための部品であり、一対の直線状に延びるストレート部３１と、各ストレート部３１の一端部同士を連結する連結部（図示せず）とを備えたＵ字状をなしている。本実施形態では、固定用部品３により、排水口部材２は次のようにして浴槽１００に設置される。
【００３１】
すなわち、排水口部材２の本体筒部２２を取付孔１０３に挿通しつつ、当該排水口部材２の挟持用突部２３と浴槽１００の表面との間に、例えばブチルシール等、圧縮変形可能な材料からなる環状のシール部材８（図３等では、非圧縮変形状態のシール部材８を示している）を配置した状態とする。そして、シール部材８を圧縮変形させるようにして排水口部材２を押込み、部品取付用溝部２２ａが取付孔１０３を通過した状態とする（つまり、部品取付用溝部２２ａが浴槽１００外に出た状態とする）。その上で、部品取付用溝部２２ａの一端部（開放端）にストレート部３１の他端部（先端部）を配置した上で、部品取付用溝部２２ａの延びる方向に沿って排水口部材２に対し固定用部品３をスライド移動させ、挟持用突部２３及びストレート部３１により浴槽１００及びシール部材８を挟み込んだ状態とする。これにより、挟持用突部２３及び浴槽１００の間にシール部材８が圧縮状態で介在設置されつつ、排水口部材２が浴槽１００に設置される。尚、シール部材８によって、浴槽１００及び排水口部材２間からの漏水防止が図られる。
【００３２】
アタッチメント部材４は、支持軸機構５等を保持するための部品であり、浴槽１００に対し相対変位不能な状態で排水口部材２に取付けられている。アタッチメント部材４は、外縁部４１、連結支持部４２及び支持軸機構保持部４３を備えている。
【００３３】
外縁部４１は、排水口部材２（本体筒部２２）の内周形状に対応する長円筒状をなしている。外縁部４１が排水口部材２の前記アタッチメント被取付部２２ｃに載置された状態となること等により、アタッチメント部材４は、排水口部材２の内周に取付けられた状態となっている。
【００３４】
連結支持部４２は、外縁部４１の内側面及び支持軸機構保持部４３の外側面を連結する部位であり、支持軸機構保持部４３を排水口部材２の内側空間つまり排水流路にて保持するためのものである。本実施形態において、連結支持部４２は、正面から見たとき（底面部１０１の中心側から見たとき）、全体として格子状をなしており、当該格子の交差箇所に対応するようにして設けられた支持軸機構保持部４３の外側面に連結された状態となっている。
【００３５】
支持軸機構保持部４３は、円筒状をなしており、支持軸機構５を保持するためのものである。支持軸機構保持部４３は、外縁部４１の内側空間の中心に位置しており、結果的に、排水口部材２の内側に形成される排水流路の中心に位置した状態となっている。
【００３６】
支持軸機構５は、栓蓋７を往復移動させて排水流入口２１の開閉状態を切換えるための機構である。支持軸機構５は、前記支持軸機構保持部４３の内周においてこれにより保持されている。支持軸機構５は、支持軸５１及び支持軸引込部５２を備えている。
【００３７】
支持軸５１は、円柱状をなしており、排水口部材２の設置状態に対応するようにして、鉛直方向に対し斜め方向に往復移動可能とされている。また、支持軸５１の上端部（先端部）は、栓蓋７の背面中央部分に設けられた後述する軸被取付部７１２ｂに嵌合されており、これにより、支持軸５１によって栓蓋７が支持された状態となっている。
【００３８】
支持軸引込部５２は、例えばばね部材により構成されており、支持軸５１の内部に設けられている。支持軸引込部５２は、圧縮変形状態で設けられており、支持軸５１に対しその復動方向（斜め下方向）に沿った力を付与するようになっている。
【００３９】
また、支持軸機構５には、筒状のチューブ部材９が接続されている。チューブ部材９内には、所定の伝達部材１０（例えば、ワイヤ等）が配置されており、当該伝達部材１０は、チューブ部材９内にて往復移動可能とされている。また、伝達部材１０は、図示しない所定の操作部（例えば、往復移動可能な操作ボタンや回動可能な操作ハンドルなど）を変位させることで、往復移動するようになっている。さらに、伝達部材１０の一端部は、支持軸５１と接触可能とされており、伝達部材１０の移動に伴い支持軸５１が移動するようになっている。
【００４０】
飛散防止カバー部６は、排水口部材２における排水流入口２１とは反対側の下部開口から放出される排水が、浴槽１００に隣接設置された図示しない洗い場側へと飛散することを防止するためのものである。飛散防止カバー部６は、全体として両端部が開口した半円筒状をなしており、排水口部材２から飛散防止カバー部６側に放出された排水は、飛散防止カバー部６の内周面を伝わって、当該飛散防止カバー部６の両端部から流出するようになっている。
【００４１】
また、飛散防止カバー部６は、当該飛散防止カバー部６におけるその周方向に沿った端縁の内周面に対しほぼ相対向した状態で一対設けられた取付用突条部６１を備えている（図４参照）。取付用突条部６１は、排水口部材２に対する飛散防止カバー部６の取付に利用される部位である。本実施形態では、カバー取付用溝部２２ｂの開放端（一端部）に取付用突条部６１の端部を配置した上で、カバー取付用溝部２２ｂの延びる方向に沿って排水口部材２に対し飛散防止カバー部６をスライド移動させ、カバー取付用溝部２２ｂに取付用突条部６１を配置することにより、排水口部材２に対し飛散防止カバー部６が取付けられた状態となっている。
【００４２】
栓蓋７は、排水流入口２１を開閉するための栓であり、排水流入口２１の形状に対応する横長形状（本実施形態では正面視長円形状）とされている（図１，２参照）。栓蓋７は、支持軸５１の往復移動に伴い鉛直方向に対し斜めに往復移動可能とされている。栓蓋７は、図５及び図６に示すように、例えば樹脂等からなる栓蓋本体部７１と、当該栓蓋本体部７１の外縁側に取付けられた、弾性変形可能な材料からなるパッキン部７２とを有している。尚、パッキン部７２の詳細な構成については後に説明する。
【００４３】
栓蓋本体部７１は、例えばスナップフィット係合（材料の弾性を利用した係合）により、第一構成部７１１及び第二構成部７１２を組立てることで構成されている。第一構成部７１１は、栓蓋７の表側を構成する部位であり、表面が凹凸のない滑らかな湾曲面状をなす扁平状とされている。
【００４４】
第二構成部７１２は、栓蓋７の裏側を構成する部位であり、移動規制突部７１２ａ、軸被取付部７１２ｂ（図３，４参照）、ガイド部７１２ｃ、補助筒部７１２ｄ及び変形規制部７１２ｅを備えている。
【００４５】
移動規制突部７１２ａは、第二構成部７１２の表面から突出する円柱状をなしており、間隔をあけて複数（本実施形態では、等間隔に３つ）設けられている。移動規制突部７１２ａは、パッキン部７２の後述する孔部７２１ａに挿通されるようになっており、栓蓋本体部７１に対するパッキン部７２の移動規制や、栓蓋本体部７１に対するパッキン部７２の位置決めなどの役割を有している。
【００４６】
軸被取付部７１２ｂは、円筒状をなしており、栓蓋本体部７１（第二構成部７１２）の背面中心部に突出形成されている（図３，４参照）。
【００４７】
ガイド部７１２ｃは、栓蓋本体部７１（第二構成部７１２）における軸被取付部７１２ｂの周囲に設けられており、先端部に複数（本実施形態では４本）の脚部分を備えた円筒状をなしている。ガイド部７１２ｃは、支持軸機構保持部４３の外周に配置されるとともに、その脚部分の間に連結支持部４２が位置するようになっている。ガイド部７１２ｃは、支持軸５１の往復移動に伴い栓蓋７が往復移動するときに、当該栓蓋７の移動をガイドする役割を有している。
【００４８】
補助筒部７１２ｄは、ガイド部７１２ｃを間に置く位置に一対設けられており、ガイド部７１２ｃと同様に、先端部に複数（本実施形態では４本）の脚部分を備えた円筒状をなしている。本実施形態において、各補助筒部７１２ｄは、アタッチメント部材４に設けられた円筒状の補助機構保持部（図示せず）の外周に配置されるとともに、その脚部分の間に連結支持部４２が位置するようになっている。各補助筒部７１２ｄが前記補助機構保持部や連結支持部４２と接触することで、支持軸５１に対する栓蓋７の相対回転及び傾きを規制可能となっている。尚、「支持軸５１に対する栓蓋７の相対回転」とあるのは、より詳しくは、支持軸５１の先端部を回転中心として栓蓋７が支持軸５１に対し相対回転することをいう。また、「支持軸５１に対する栓蓋７の傾き」とあるのは、より詳しくは、支持軸５１の先端部をいわば支点として栓蓋７が支持軸５１に対し傾くことをいう。
【００４９】
変形規制部７１２ｅは、第二構成部７１２の上面における外周側に環状に設けられた小突起である。変形規制部７１２ｅは、後述する第一折返部７２２ｂと接触することで、当該第一折返部７２２ｂを支持する。
【００５０】
本実施形態では、前記操作部に対する操作に伴い支持軸５１が往動（斜め上方に移動）することで、栓蓋７が往動し、その結果、パッキン部７２が接触対象部２４から離間した状態となることにより、排水流入口２１が開状態とされる（図４参照）。尚、排水流入口２１を開状態としたときには、栓蓋７の外縁部周囲を通って排水が流れることとなる。図４では、栓蓋７の外縁部周囲における排水の流れ方向を太線矢印で示している。
【００５１】
一方、この状態で、前記操作部に対する操作に伴い、支持軸引込部５２により支持軸５１が復動（斜め下方に移動）することで、栓蓋７が復動し、その結果、パッキン部７２（特に後述する最外側部７２２ｆ）の外周部分全域が接触対象部２４と面接触することにより、排水流入口２１が閉状態とされる（図３参照）。尚、本実施形態では、上述した補助機構保持部の内部に、栓蓋７に対し支持軸５１の復動方向に沿った付勢力を付与する補助引込部（図示せず）が設置されている。従って、支持軸引込部５２及び当該補助引込部によって、パッキン部７２を接触対象部２４へとより確実に圧接させて、良好な水密性を得ることができるようになっている。
【００５２】
次いで、パッキン部７２の詳細な構成について説明する。パッキン部７２は、弾性変形可能な材料（例えば、ゴムや樹脂等）によって全体として板状に形成されており、基部７２１及び追従部７２２を備えている。
【００５３】
基部７２１は、主として栓蓋本体部７１に対する取付に利用される部位である。基部７２１は、全体として板状をなしており、前記移動規制突部７１２ａを挿通可能な孔部７２１ａを複数（本実施形態では３つ）備えている。本実施形態において、パッキン部７２は、基部７２１が第一構成部７１１及び第二構成部７１２により挟み込まれることで、つまり栓蓋本体部７１により挟持されることで、栓蓋本体部７１に取付けられている。
【００５４】
追従部７２２は、基部７２１の外縁部から外側に突出する比較的薄肉の環状をなしており、パッキン部７２（特に次述する最外側部７２２ｆ）が接触対象部２４と面接触したときに、接触対象部２４に追従して変形・変位する役割を有するものである。追従部７２２は、図７及び図８に示すように、波打ち形状をなしており、内側から外側に向けて、第一屈曲部７２２ａ、第一折返部７２２ｂ、第二屈曲部７２２ｃ、第二折返部７２２ｄ、第三屈曲部７２２ｅ及び最外側部７２２ｆをこの順序で備えている。本実施形態では、第一屈曲部７２２ａ、第二屈曲部７２２ｃ及び第三屈曲部７２２ｅが、それぞれ「屈曲部」に相当する。尚、追従部７２２の断面形状は、追従部７２２の周方向に沿ってほぼ変化することなく、ほぼ一定である。
【００５５】
第一屈曲部７２２ａは、基部７２１及び第一折返部７２２ｂ間に位置する屈曲形状部位であり、第二屈曲部７２２ｃは、第一折返部７２２ｂ及び第二折返部７２２ｄ間に位置する屈曲形状部位である。また、第三屈曲部７２２ｅは、第二折返部７２２ｄ及び最外側部７２２ｆ間に位置する屈曲形状部位である。
【００５６】
第一折返部７２２ｂは、第一屈曲部７２２ａを介して基部７２１に対し栓蓋７の外縁部周囲における排水の流れ方向（図７，８にて黒塗り矢印で示す方向）とは逆側に折返された部位である。また、第一折返部７２２ｂは、前記変形規制部７１２ｅと接触することでこれにより支持されており、その結果、基部７２１から離間する方向への第一折返部７２２ｂの撓み変形を規制可能となっている。
【００５７】
第二折返部７２２ｄは、第二屈曲部７２２ｃを介して第一折返部７２２ｂに対して折返された部位である。尚、第二折返部７２２ｄにおける第三屈曲部７２２ｅ側の部位には、突起部７２２ｇが設けられており、当該突起部７２２ｇは、栓蓋本体部７１（第二構成部７１２）と接触可能となっている。これにより、水流の影響によって、最外側部７２２ｆが外側に向けて（基部７２１から離間する方向に）過度に撓み変形することをより確実に抑制可能となっている。
【００５８】
最外側部７２２ｆは、排水流入口２１を閉状態としたときに、接触対象部２４へと面接触する部位である。最外側部７２２ｆの外側面つまり接触対象部２４と接触する面は、栓蓋７の復動方向に沿って徐々に窄む（周長が減少する）形状とされている。
【００５９】
また、最外側部７２２ｆは、第三屈曲部７２２ｅを介して第二折返部７２２ｄに対して折返された状態となっている。従って、本実施形態におけるパッキン部７２は、基部７２１から最外側部７２２ｆにかけての部位を交互に折返すことで設けられた３つの屈曲部７２２ａ，７２２ｃ，７２２ｅを備えるものとなっている。
【００６０】
上記のように構成されたパッキン部７２（追従部７２２）は、排水流入口２１を閉状態とすべく、接触対象部２４へと最外側部７２２ｆを接触させた状態となると、栓蓋７の往復移動方向と直交する方向に沿って圧縮撓み変形する。その結果、パッキン部７２には、最外側部７２２ｆを接触対象部２４へと押付ける方向の反発力が生じるようになっている。
【００６１】
以上詳述したように、本実施形態によれば、パッキン部７２は、排水流入口２１を閉状態としたときに接触対象部２４へと面接触するため、接触対象部２４に対するパッキン部７２の接触面積を十分に確保することができる。また、パッキン部７２は、接触対象部２４への面接触に伴い栓蓋７の往復移動方向と直交する方向に沿って圧縮撓み変形する。従って、撓み変形に伴い生じる反発力を利用して、接触対象部２４に対しパッキン部７２（最外側部７２２ｆ）をより大きな圧力で接触させることができる。これらの結果、接触対象部２４に対するパッキン部７２の接触面積や接触圧力を十分に確保することができ、非常に優れたシール性（水密性）を実現することができる。
【００６２】
また、パッキン部７２が栓蓋７の往復移動方向と直交する方向に沿って圧縮撓み変形することで、接触対象部２４における形状誤差（例えば接触対象部２４が波打った形状となること等）に対しパッキン部７２が追従して変形しやすくなる。従って、シール性（水密性）をより効果的に高めることができる。
【００６３】
加えて、本実施形態において、接触対象部２４は栓蓋７の復動方向に沿って徐々に窄む形状をなしているため、排水流入口２１を閉状態としたときに、パッキン部７２を栓蓋７の往復移動方向と直交する方向に沿ってより確実に圧縮撓み変形させることができる。これにより、一層良好なシール性（水密性）を得ることが可能である。
【００６４】
また、パッキン部７２は３つ以上の屈曲部７２２ａ，７２２ｃ，７２２ｅを備えるため、接触対象部２４へとパッキン部７２が接触したときに、パッキン部７２を栓蓋７の往復移動方向と直交する方向に沿ってより確実に圧縮撓み変形させることができる。従って、撓み変形に伴う反発力をより増大させて、接触対象部２４に対するパッキン部７２の接触圧力をより増大させることができる。その結果、シール性（水密性）の一層の向上を図ることができる。
【００６５】
加えて、変形規制部７１２ｅによりパッキン部７２の第一折返部７２２ｂが支持されているため、基部７２１から離間する方向への第一折返部７２２ｂの撓み変形を規制することができる。従って、排水の影響による第一折返部７２２ｂの撓み変形を防ぐことができ、優れたシール性（水密性）をより確実に得ることが可能となる。
【００６６】
さらに、パッキン部７２は、全体として板状をなしており、栓蓋本体部７１により挟持されることで栓蓋本体部７１に取付けられている。従って、本実施形態のように栓蓋本体部７１を非円形状（横長形状）としたような場合であっても、栓蓋本体部７１及びパッキン部７２を十分な圧力で接触させることができる。これにより、シール性（水密性）をより一層高めることができる。
【００６７】
尚、上記実施形態の記載内容に限定されず、例えば次のように実施してもよい。勿論、以下において例示しない他の応用例、変更例も当然可能である。
【００６８】
（ａ）上記実施形態において、取付孔１０３は、浴槽１００の底面部１０１から側面部１０２にかけての部位に貫通形成されているが、取付孔１０３を底面部１０１に貫通形成してもよい。
【００６９】
また、上記実施形態における取付孔１０３は、横長形状とされているが、取付孔１０３の形状は特に限定されるものではなく、例えば取付孔１０３を円形状としてもよい。
【００７０】
さらに、取付孔１０３の形状に合わせて、排水口部材２や排水流入口２１などの形状についても適宜変更可能である。従って、例えば、排水口部材２（本体筒部２２）を円筒状とし、排水流入口２１を円形状としてもよい。
【００７１】
（ｂ）上記実施形態において、排水口部材２は、鉛直方向に対し斜めとなった状態で設置されているが、排水口部材２を鉛直方向に延びる状態（つまり排水口部材２の中心軸が水平面と直交する状態）で設置してもよい。
【００７２】
また、上記実施形態において、挟持用突部２３の一部が本体筒部２２から大きく突出した状態とされているが、挟持用突部２３の形状を適宜変更してもよい。従って、挟持用突部２３を、例えば、本体筒部２２の外周面からの突出量が一定とされた円形鍔状をなすように構成してもよい。
【００７３】
さらに、上記実施形態において、排水流入口２１から排水口部材２内に流入した排水は、当該排水口部材２における下部開口から飛散防止カバー部６に向けて放出されるように構成されているが、排水口部材２に対し筒状の配管を接続し、排水口部材２を通った排水が当該配管へと流れ込むように構成してもよい。また、排水口部材２の下部開口から防水パンに向けて排水が放出されるように構成してもよい。
【００７４】
加えて、上記実施形態における排水口部材２は、固定用部品３によって浴槽１００へと取付けられているが、浴槽１００に対する排水口部材２の取付手法はこれに限定されるものではない。従って、例えば、排水口部材２の外周に雄ねじを形成するとともに、前記配管の内周に雌ねじを形成し、排水口部材２の前記雄ねじを前記配管の雌ねじへと螺合し、挟持用突部２３と前記配管とによって浴槽１００を挟み込むことで、浴槽１００に対し排水口部材２を取付けるように構成してもよい。
【００７５】
（ｃ）アタッチメント部材４の形状を、排水口部材２の形状に合わせて適宜変更してもよい。例えば、排水口部材２における本体筒部２２を円筒状とする場合には、当該本体筒部２２の形状に合わせてアタッチメント部材４の外縁部４１を円筒状としてもよい。
【００７６】
また、排水口部材２及びアタッチメント部材４を一体とすることで、アタッチメント部材４を省略し、排水口部材２がアタッチメント部材４としての機能（支持軸機構５を保持する機能）を備えるように構成してもよい。
【００７７】
（ｄ）上記実施形態において、支持軸５１及び栓蓋７は、鉛直方向に対し斜めに往復移動可能とされているが、支持軸５１及び栓蓋７を鉛直方向に沿って往復移動可能に構成してもよい。
【００７８】
また、上記実施形態では、支持軸５１を有する支持軸機構５によって栓蓋７が移動するように構成されているが、その他の機構により栓蓋７が移動するように構成してもよい。例えば、回動可能な回動部と、当該回動部の端面に突出形成されるとともに、栓蓋７を直接又は間接的に支持する支持突起とを有する栓蓋駆動機構を設け、回動部の回動に伴い支持突起が上下動することで、栓蓋７が上下動するように構成してもよい。
【００７９】
（ｅ）上記実施形態において、栓蓋７（栓蓋本体部７１）は正面視長円形状をなしているが、栓蓋７（栓蓋本体部７１）の形状はこれに限られるものではない。従って、例えば、栓蓋７（栓蓋本体部７１）を正面視円形状、正面視楕円形状、正面視多角形状（六角形状や八角形状など）、正面視三角形状、正面視矩形状等としてもよい。
【００８０】
また、上記実施形態における栓蓋本体部７１は、補助筒部７１２ｄを備えているが、栓蓋本体部７１の形状やサイズ等によっては、補助筒部７１２ｄを設けないこととしてもよい。
【００８１】
（ｆ）上記実施形態において、パッキン部７２は、全体として板状をなしているが、パッキン部７２を円環状などのリング状としてもよい。また、パッキン部７２に設けられる孔部７２１ａの数や大きさについては適宜変更してもよい。
【００８２】
さらに、上記実施形態において、パッキン部７２は、３つの屈曲部７２２ａ，７２２ｃ，７２２ｅを備えているが、屈曲部を２つ又は４つ以上備えたものであってもよい。
【００８３】
（ｇ）上記実施形態では、排水口部材２の内面によって接触対象部２４が構成されているが、排水口部材２の内面以外の部位によって接触対象部２４を構成してもよい。従って、例えば、浴槽１００（底面部１０１）の表面によって接触対象部を構成してもよい。また、接触対象部の形状は上記実施形態で挙げたものに限定されず、例えば接触対象部を角張った形状などとしてもよい。
【００８４】
（ｈ）上記実施形態では、槽体として浴槽１００を例示しているが、本発明の技術思想を適用可能な槽体は浴槽に限定されるものではない。従って、例えば、洗面ボウルやキッチンの流し台などの浴槽以外の槽体に対し本発明の技術思想を適用してもよい。
【符号の説明】
【００８５】
１…排水栓装置、７…栓蓋、２１…排水流入口、７１…栓蓋本体部、７２…パッキン部、１００…浴槽（槽体）、７１２ｅ…変形規制部、７２１…基部、７２２ａ…第一屈曲部（屈曲部）、７２２ｂ…第一折返部、７２２ｃ…第二屈曲部（屈曲部）、７２２ｅ…第三屈曲部（屈曲部）、７２２ｆ…最外側部。
【図１】
2020183649.tif 000003
【図２】
2020183649.tif 000004
【図３】
2020183649.tif 000005
【図４】
2020183649.tif 000006
【図５】
2020183649.tif 000007
【図６】
2020183649.tif 000008
【図７】
2020183649.tif 000009
【図８】
2020183649.tif 000010